【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
液晶素子を有する画素と、駆動回路とを有し、
前記駆動回路は、第１のトランジスタと、第２のトランジスタと、第３のトランジスタと、第４のトランジスタと、第５のトランジスタと、第６のトランジスタと、第７のトランジスタと、第８のトランジスタとを有し、
前記第１のトランジスタの第１の電極が第４の配線に電気的に接続され、前記第１のトランジスタの第２の電極が第３の配線に電気的に接続され、
前記第２のトランジスタの第１の電極が第７の配線に電気的に接続され、前記第２のトランジスタの第２の電極が前記第３の配線に電気的に接続され、前記第２のトランジスタのゲート電極が第５の配線に電気的に接続され、
前記第３のトランジスタの第１の電極が第６の配線に電気的に接続され、前記第３のトランジスタの第２の電極が前記第６のトランジスタのゲート電極に電気的に接続され、前記第３のトランジスタのゲート電極が前記第４の配線に電気的に接続され、
前記第４のトランジスタの第１の電極が前記第７の配線に電気的に接続され、前記第４のトランジスタの第２の電極が前記第６のトランジスタのゲート電極に電気的に接続され、前記第４のトランジスタのゲート電極が前記第５の配線に電気的に接続され、
前記第５のトランジスタの第１の電極が前記第６の配線に電気的に接続され、前記第５のトランジスタの第２の電極が前記第１のトランジスタのゲート電極に電気的に接続され、前記第５のトランジスタのゲート電極が第１の配線に電気的に接続され、
前記第６のトランジスタの第１の電極が前記第７の配線に電気的に接続され、前記第６のトランジスタの第２の電極が前記第１のトランジスタのゲート電極に電気的に接続され、
前記第７のトランジスタの第１の電極が前記第７の配線に電気的に接続され、前記第７のトランジスタの第２の電極が前記第１のトランジスタのゲート電極に電気的に接続され、前記第７のトランジスタのゲート電極が第２の配線に電気的に接続され、
前記第８のトランジスタの第１の電極が前記第７の配線に電気的に接続され、前記第８のトランジスタの第２の電極が前記第６のトランジスタのゲート電極に電気的に接続され、前記第８のトランジスタのゲート電極が前記第１のトランジスタのゲート電極に電気的に接続されることを特徴とする液晶表示装置。
【請求項２】
請求項１において、
前記第１のトランジスタ乃至前記第８のトランジスタの各々のチャネル長Ｌとチャネル幅Ｗの比Ｗ／Ｌの値の中で、前記第１のトランジスタのＷ／Ｌの値が最大であることを特徴とする液晶表示装置。
【請求項３】
請求項１又は請求項２において、
前記第１のトランジスタのチャネル長Ｌとチャネル幅Ｗの比Ｗ／Ｌの値は、前記第５のトランジスタのＷ／Ｌの値の２倍〜５倍であることを特徴とする液晶表示装置。
【請求項４】
請求項１乃至請求項３のいずれか一項において、
前記第３のトランジスタのチャネル長Ｌは、前記第８のトランジスタのチャネル長Ｌよりも大きいことを特徴とする液晶表示装置。
【請求項５】
請求項１乃至請求項４のいずれか一項において、
前記第１のトランジスタの第２の電極と、前記第１のトランジスタのゲート電極との間に容量素子が配置されていることを特徴とする液晶表示装置。
【請求項６】
請求項１乃至請求項５のいずれか一項において、
前記第１のトランジスタ乃至前記第８のトランジスタはそれぞれ、Ｎチャネル型トランジスタであることを特徴する液晶表示装置。
【請求項７】
請求項１乃至請求項６のいずれか一項において、
前記第１のトランジスタ乃至前記第８のトランジスタはそれぞれ、半導体層としてアモルファスシリコンを用いることを特徴とする液晶表示装置。
【請求項８】
液晶素子を有する画素と、第１の駆動回路と、第２の駆動回路とを有し、
前記第１の駆動回路は、第１のトランジスタと、第２のトランジスタと、第３のトランジスタと、第４のトランジスタと、第５のトランジスタと、第６のトランジスタと、第７のトランジスタと、第８のトランジスタとを有し、
前記第１のトランジスタの第１の電極が第４の配線に電気的に接続され、前記第１のトランジスタの第２の電極が第３の配線に電気的に接続され、
前記第２のトランジスタの第１の電極が第７の配線に電気的に接続され、前記第２のトランジスタの第２の電極が前記第３の配線に電気的に接続され、前記第２のトランジスタのゲート電極が第５の配線に電気的に接続され、
前記第３のトランジスタの第１の電極が第６の配線に電気的に接続され、前記第３のトランジスタの第２の電極が前記第６のトランジスタのゲート電極に電気的に接続され、前記第３のトランジスタのゲート電極が前記第４の配線に電気的に接続され、
前記第４のトランジスタの第１の電極が前記第７の配線に電気的に接続され、前記第４のトランジスタの第２の電極が前記第６のトランジスタのゲート電極に電気的に接続され、前記第４のトランジスタのゲート電極が前記第５の配線に電気的に接続され、
前記第５のトランジスタの第１の電極が前記第６の配線に電気的に接続され、前記第５のトランジスタの第２の電極が前記第１のトランジスタのゲート電極に電気的に接続され、前記第５のトランジスタのゲート電極が第１の配線に電気的に接続され、
前記第６のトランジスタの第１の電極が前記第７の配線に電気的に接続され、前記第６のトランジスタの第２の電極が前記第１のトランジスタのゲート電極に電気的に接続され、
前記第７のトランジスタの第１の電極が前記第７の配線に電気的に接続され、前記第７のトランジスタの第２の電極が前記第１のトランジスタのゲート電極に電気的に接続され、前記第７のトランジスタのゲート電極が第２の配線に電気的に接続され、
前記第８のトランジスタの第１の電極が前記第７の配線に電気的に接続され、前記第８のトランジスタの第２の電極が前記第６のトランジスタのゲート電極に電気的に接続され、前記第８のトランジスタのゲート電極が前記第１のトランジスタのゲート電極に電気的に接続され、
前記第２の駆動回路は、第９のトランジスタと、第１０のトランジスタと、第１１のトランジスタと、第１２のトランジスタと、第１３のトランジスタと、第１４のトランジスタと、第１５のトランジスタと、第１６のトランジスタとを有し、
前記第９のトランジスタの第１の電極が第１２の配線に電気的に接続され、前記第９のトランジスタの第２の電極が第１０の配線に電気的に接続され、
前記第１０のトランジスタの第１の電極が第１４の配線に電気的に接続され、前記第１０のトランジスタの第２の電極が前記第１０の配線に電気的に接続され、前記第１０のトランジスタのゲート電極が第１２の配線に電気的に接続され、
前記第１１のトランジスタの第１の電極が第１３の配線に電気的に接続され、前記第１１のトランジスタの第２の電極が前記第１４のトランジスタのゲート電極に電気的に接続され、前記第１１のトランジスタのゲート電極が前記第１１の配線に電気的に接続され、
前記第１２のトランジスタの第１の電極が前記第１４の配線に電気的に接続され、前記第１２のトランジスタの第２の電極が前記第１４のトランジスタのゲート電極に電気的に接続され、前記第１２のトランジスタのゲート電極が前記第１２の配線に電気的に接続され、
前記第１３のトランジスタの第１の電極が前記第１３の配線に電気的に接続され、前記第１３のトランジスタの第２の電極が前記第９のトランジスタのゲート電極に電気的に接続され、前記第１３のトランジスタのゲート電極が第８の配線に電気的に接続され、
前記第１４のトランジスタの第１の電極が前記第１４の配線に電気的に接続され、前記第１４のトランジスタの第２の電極が前記第９のトランジスタのゲート電極に電気的に接続され、
前記第１５のトランジスタの第１の電極が前記第１４の配線に電気的に接続され、前記第１５のトランジスタの第２の電極が前記第９のトランジスタのゲート電極に電気的に接続され、前記第１５のトランジスタのゲート電極が第９の配線に電気的に接続され、
前記第１６のトランジスタの第１の電極が前記第１４の配線に電気的に接続され、前記第１６のトランジスタの第２の電極が前記第１４のトランジスタのゲート電極に電気的に接続され、前記第１６のトランジスタのゲート電極が前記第９のトランジスタのゲート電極に電気的に接続されることを特徴とする液晶表示装置。
【請求項９】
請求項８において、
前記第４の配線と前記第１１の配線とが電気的に接続され、
前記第５の配線と前記第１２の配線とが電気的に接続され、
前記第６の配線と前記第１３の配線とが電気的に接続され、
前記第７の配線と前記第１４の配線とが電気的に接続されていることを特徴とする液晶表示装置。
【請求項１０】
請求項９において、
前記第４の配線と前記第１１の配線とは同一の配線であり、
前記第５の配線と前記第１２の配線とは同一の配線であり、
前記第６の配線と前記第１３の配線とは同一の配線であり、
前記第７の配線と前記第１４の配線とは同一の配線であることを特徴とする液晶表示装置。
【請求項１１】
請求項８乃至請求項１０のいずれか一項において、
前記第３の配線と前記第１０の配線とが電気的に接続されていることを特徴とする液晶表示装置。
【請求項１２】
請求項１１において、
前記第３の配線と前記第１０の配線とは同一の配線であることを特徴とする液晶表示装置。
【請求項１３】
請求項８乃至請求項１２のいずれか一項において、
前記第１のトランジスタ乃至前記第８のトランジスタの各々のチャネル長Ｌとチャネル幅Ｗの比Ｗ／Ｌの値の中で、前記第１のトランジスタのＷ／Ｌの値が最大であり、
前記第９のトランジスタ乃至前記第１６のトランジスタの各々のチャネル長Ｌとチャネル幅Ｗの比Ｗ／Ｌの値の中で、前記第９のトランジスタのＷ／Ｌの値が最大であることを特徴とする液晶表示装置。
【請求項１４】
請求項８乃至請求項１３のいずれか一項において、
前記第１のトランジスタのチャネル長Ｌとチャネル幅Ｗの比Ｗ／Ｌの値は、前記第５のトランジスタのＷ／Ｌの値の２倍〜５倍であり、
前記第９のトランジスタのチャネル長Ｌとチャネル幅Ｗの比Ｗ／Ｌの値は、前記第１２のトランジスタのＷ／Ｌの値の２倍〜５倍であることを特徴とする液晶表示装置。
【請求項１５】
請求項８乃至請求項１４のいずれか一項において、
前記第３のトランジスタのチャネル長Ｌは、前記第８のトランジスタのチャネル長Ｌよりも大きく、
前記第１１のトランジスタのチャネル長Ｌは、前記第１６のトランジスタのチャネル長Ｌよりも大きいことを特徴とする液晶表示装置。
【請求項１６】
請求項８乃至請求項１５のいずれか一項において、
前記第１のトランジスタの第２の電極と、前記第１のトランジスタのゲート電極との間に容量素子が配置され、
前記第９のトランジスタの第２の電極と、前記第９のトランジスタのゲート電極との間に容量素子が配置されていることを特徴とする液晶表示装置。
【請求項１７】
請求項８乃至請求項１６のいずれか一項において、
前記第１のトランジスタ乃至前記第１６のトランジスタはそれぞれ、Ｎチャネル型トランジスタであることを特徴する液晶表示装置。
【請求項１８】
請求項８乃至請求項１７のいずれか一項において、
前記第１のトランジスタ乃至前記第１６のトランジスタはそれぞれ、半導体層としてアモルファスシリコンを用いることを特徴とする液晶表示装置。
【請求項１９】
請求項１乃至請求項１８のいずれか一項に記載の液晶表示装置を具備する電子機器。